(57)【要約】【課題】この発明は、第１筐体に対して第２筐体が開かれた状態でかつ表示部が横長となるような状態で、机等に安定して載置することができるようになるテレビ放送受信機能付きの折り畳み式携帯型電話機を提供することを目的とする。【解決手段】テレビ放送受信機能付きの折り畳み式携帯型電話機において、操作部を備えた第１筐体におけるヒンジ側端部の幅中央と、第１筐体におけるヒンジ側端部に対して反対側の端部の幅中央とを通る直線の方向を第１筐体の長さ方向と定義すると、伸縮式の電話用アンテナは、第１の筐体におけるヒンジ側端部から、第１筐体の長さ方向に対して第１筐体の幅方向に傾斜した方向であって、第１の筐体の一側面のヒンジ側端部と反対側の端部からヒンジ側端部に向かう当該一側面の長さ方向の延長上に向かってアンテナが伸びるような配置で、第１の筐体に設けられている。【選択図】  図７
2004312341.tif 000002
【特許請求の範囲】
【請求項１】
操作部および伸縮式の電話用アンテナを備えた第１筐体と、略長方形の表示器を備えた第２筐体とが、ヒンジによって相互に折り畳み可能に連結されており、第２の筐体におけるヒンジ側端部の幅中央と、第２筐体におけるヒンジ側端部に対して反対側の端部の幅中央とを通る直線の方向を第２筐体の長さ方向と定義すると、表示器は第２筐体の長さ方向に長い略長方形であり、テレビ視聴時には第１筐体に対して第２筐体が開かれた状態でかつ表示器が横長となるような状態に配置されるテレビ放送受信機能付きの折り畳み式携帯型電話機において、
第１筐体におけるヒンジ側端部の幅中央と、第１筐体におけるヒンジ側端部に対して反対側の端部の幅中央とを通る直線の方向を第１筐体の長さ方向と定義すると、伸縮式の電話用アンテナは、第１の筐体におけるヒンジ側端部から、第１筐体の長さ方向に対して第１筐体の幅方向に傾斜した方向であって、第１の筐体の一側面のヒンジ側端部と反対側の端部からヒンジ側端部に向かう当該一側面の長さ方向の延長上に向かってアンテナが伸びるような配置で、第１の筐体に設けられていることを特徴とするテレビ放送受信機能付きの折り畳み式携帯型電話機。
【発明の詳細な説明】
【０００１】
【発明の属する技術分野】
この発明は、テレビ放送受信機能付き携帯型電話機に関する。
【０００２】
【従来の技術】
操作部を備えた第１筐体と、表示器を備えた第２筐体とが、ヒンジによって相互に折り畳み可能に連結されている折り畳み式の携帯型電話機が知られている。この種の折り畳み式の携帯型電話機として、地上波デジタルテレビ放送を受信する機能を備えたものも既に開発されている。
【０００３】
ところで、テレビ放送受信機能付きの折り畳み式携帯型電話機に搭載されている表示器は、一般的に縦長の状態で使用されるようになっているのに対し、テレビ放送受信機に搭載されている表示器は横長の状態で使用されている。したがって、テレビ放送受信機能付きの折り畳み式携帯型電話機として、テレビ視聴時には第１筐体に対して第２筐体が開かれた状態でかつ表示器が横長となるような状態に配置して使用するものがある。
【０００４】
しかしながら、第１筐体に対して第２筐体が開かれた状態でかつ表示器が横長となるような状態で、机上に置いた場合、安定しないという問題がある。
【０００５】
【発明が解決しようとする課題】
この発明は、第１筐体に対して第２筐体が開かれた状態でかつ表示器が横長となるような状態で、机等に安定して載置することができるようになるテレビ放送受信機能付きの折り畳み式携帯型電話機を提供することを目的とする。
【０００６】
【課題を解決するための手段】
請求項１に記載の発明は、操作部および伸縮式の電話用アンテナを備えた第１筐体と、略長方形の表示器を備えた第２筐体とが、ヒンジによって相互に折り畳み可能に連結されており、第２の筐体におけるヒンジ側端部の幅中央と、第２筐体におけるヒンジ側端部に対して反対側の端部の幅中央とを通る直線の方向を第２筐体の長さ方向と定義すると、表示器は第２筐体の長さ方向に長い略長方形であり、テレビ視聴時には第１筐体に対して第２筐体が開かれた状態でかつ表示器が横長となるような状態に配置されるテレビ放送受信機能付きの折り畳み式携帯型電話機において、第１筐体におけるヒンジ側端部の幅中央と、第１筐体におけるヒンジ側端部に対して反対側の端部の幅中央とを通る直線の方向を第１筐体の長さ方向と定義すると、伸縮式の電話用アンテナは、第１の筐体におけるヒンジ側端部から、第１筐体の長さ方向に対して第１筐体の幅方向に傾斜した方向であって、第１の筐体の一側面のヒンジ側端部と反対側の端部からヒンジ側端部に向かう当該一側面の長さ方向の延長上に向かってアンテナが伸びるような配置で、第１の筐体に設けられていることを特徴とする。
【０００７】
【発明の実施の形態】
以下、図面を参照して、この発明の実施の形態について説明する。
【０００８】
図１〜図４は、テレビ放送受信機能付きの折り畳み式携帯型電話機を示している。図１〜図３は、携帯型電話機が開かれた状態を示し、図４は携帯型電話機が折り畳まれた状態を示している。
【０００９】
テレビ放送受信機能付きの折り畳み式携帯型電話機は、各種キーを含む操作部を備えた第１筐体１０と、略長方形の表示器２１を備えた第２筐体２０とを備えている。第１筐体１０と第２筐体２０とは、ヒンジ３０によって相互に折り畳み可能に連結されている。第１筐体１０には、伸縮式の電話用アンテナ１１が設けられている。また、第２筐体２０の背面側には、テレビ用アンテナ２２が設けられている。
【００１０】
第２の筐体２０におけるヒンジ側端部の幅中央と、第２筐体２０におけるヒンジ側端部に対して反対側の端部の幅中央とを通る直線の方向を第２筐体２０の長さ方向と定義すると、表示器２１は第２筐体２０の長さ方向に長い略長方形である。
【００１１】
表示器２１の上下左右を、図１を基準として定義することにする。つまり、図１において、表示器２１の上側の辺を表示器２１の上辺Ｕ、表示器２１の下側の辺を表示器２１の下辺Ｄ、表示器２１の左側の辺を表示器２１の左辺Ｌ、表示器２１の右側の辺を表示器２１の右辺Ｒと定義する。
【００１２】
第１筐体１０におけるヒンジ側端部の幅中央と、第１筐体１０におけるヒンジ側端部に対して反対側の端部の幅中央とを通る直線の方向を第１筐体１０の長さ方向と定義する。
【００１３】
伸縮式の電話用アンテナ１１は、図５に示すように、第１の筐体１０におけるヒンジ側端部から、第１筐体１０の長さ方向に対して第１筐体の幅方向に傾斜した方向であって、第１の筐体１０の一側面（この例では背面から見て左側面）のヒンジ側端部と反対側の端部からヒンジ側端部に向かう当該一側面の長さ方向の延長上に向かってアンテナが伸びるような配置で、第１の筐体１０に設けられている。伸縮式の電話用アンテナ１１の先端には、ゴム等で作られた滑り止めキャップ１１ａが被せられている。
【００１４】
テレビ視聴時には、この例では、図６に示すように、第１筐体１０に対して第２筐体２０が開かれた状態でかつ表示器２１の右辺Ｒが下側にくるような横長状態で、たとえば、机上に配置される。この際、電話用アンテナ１１をのばすことによって、図７に示すように、電話用アンテナ１１の先端の滑り止めキャップ１１ａが机上に接した状態となり、電話用アンテナ１１が携帯型電話機の支えとして機能し、携帯型電話機が安定して机上に載置される。
【００１５】
【発明の効果】
この発明によれば、第１筐体に対して第２筐体が開かれた状態でかつ表示器が横長となるような状態で、机等に安定して載置することができるようになるテレビ放送受信機能付きの折り畳み式携帯型電話機が得られる。
【図面の簡単な説明】
【図１】折り畳み携帯型電話機の開かれた状態を示す正面図である。
【図２】図１の側面図である。
【図３】図１の背面図である。
【図４】折り畳み携帯型電話機の折り畳まれた状態を示す側面図である。
【図５】電話用アンテナがのばされた状態を示す背面図である。
【図６】テレビ視聴時の状態を示す、正面から見た斜視図である。
【図７】テレビ視聴時の状態を示す、背面から見た斜視図である。
【符号の説明】
１０  第１筐体
１１  電話用アンテナ
２０  第２筐体
２１  表示器
２２  テレビ用アンテナ
３０  ヒンジ
【図１】
2004312341.tif 000003
【図２】
2004312341.tif 000004
【図３】
2004312341.tif 000005
【図４】
2004312341.tif 000006
【図５】
2004312341.tif 000007
【図６】
2004312341.tif 000008
【図７】
2004312341.tif 000009